(57)【要約】【課題】紙が細切断されたあとでも、紙に記載されていた情報を再び見ることができるシュレッダー装置を提供することを課題とする。【解決手段】シュレッダー装置１は、紙２に記載されている文字や画像の情報を紙２が細切断される前に読み取る光学式文字画像読取装置ＯＣＲ１，２を有し、それらにより読み取られた読取データはマイクロコンピュータ６により読取データ記録部７に記録される。読取データ記録部７に記録された情報は読取データ表示部９で表示させることができるとともにプリンタ１０で印刷することができるため、紙２が細切断されたあとでも、紙２に記載されていた情報を再び見ることができる。【選択図】        図１
2004160313.tif 000002
【特許請求の範囲】
【請求項１】
紙を細切断することによってその紙に記載されている情報を第三者が認識できないようにするためのシュレッダー装置であって、
前記紙に記載されている情報を紙が細切断される前に読み取る読取手段と、前記読取手段により読み取られた前記情報を記録する読取データ記録手段と、前記読取データ記録手段に記録された前記情報を表示する読取データ表示手段とを備えたことを特徴とするシュレッダー装置。
【請求項２】
請求項１に記載のシュレッダー装置であって、前記読取データ表示手段に表示された前記情報を印刷するための印刷手段を有することを特徴とするシュレッダー装置。
【請求項３】
請求項１または２に記載のシュレッダー装置であって、前記紙に記載されている情報を前記読取手段で読み取るか否かを前記紙が細切断される前に選択するための手段を有することを特徴とするシュレッダー装置。
【発明の詳細な説明】
【０００１】
【発明の属する技術分野】
本発明は、用済み後の紙を細切断し、紙に記載されている文字や画像などから成る情報を第三者が認識できないようにするためのシュレッダー装置に関する。
【０００２】
【従来の技術】
従来、用済み後の紙に記載されている文字や画像の情報を第三者が認識できないようにするために、その紙を細切断する場合、シュレッダー装置が使用される。例えば、特許文献１のようなものがある。
【０００３】
【特許文献１】
特開２００２−３２０８７３号公報
【０００４】
【発明が解決しようとする課題】
上記従来のシュレッダー装置で紙を細切断し、紙に記載されていた文字や画像の情報を認識できないようにした場合、後で、紙に記載されていた情報が必要になることがある。その場合、細切断された紙片をつなぎ合わせるという作業をするが、この作業は極めて困難で、時間がかかる。
【０００５】
そこで本発明では、紙が細切断されたあとでも、紙に記載されていた情報を再び見ることができるシュレッダー装置を提供することを解決すべき課題とするものである。
【０００６】
【課題を解決するための手段】
上記課題は、特許請求の範囲の欄に記載したシュレッダー装置により解決することができる。
【０００７】
請求項１記載のシュレッダー装置によれば、情報が記載されている紙が細切断される前に、その紙に記載されている情報が読取手段により読み取られると、読取データ記録手段は、その情報を記録するため、読取データ表示手段は、記録された情報を表示することができる。これにより、情報が記載されている紙が細切断されたあとでも、その紙に記載されていた情報を読取データ表示手段で見ることができる。
【０００８】
請求項２記載のシュレッダー装置によれば、読取データ表示手段に表示された情報を印刷することができるため、細切断された紙と同様の情報が記載された紙を復元することができる。
【０００９】
請求項３記載のシュレッダー装置によれば、紙に記載されている情報を読取手段で読み取るか否かを、紙が細切断される前に選択することができるため、必要としない情報を記録することを避けることができる。
【００１０】
【発明の実施の形態】
次に、本発明の実施の形態について説明する。
図１は、シュレッダー装置１の要部構成を示したブロック図である。
図１に示したシュレッダー装置１は、紙２がシュレッダー部３で細切断されたあとでも、紙２に記載されていた文字や画像を見ることができるように構成されたものである。以下、シュレッダー装置１の構成について説明する。
【００１１】
シュレッダー装置１には、細切断される紙２をシュレッダー部３の方向に送り込む紙送り部４が設けられている。紙送り部４は、図示していないモータで駆動される複数の紙送りローラー５を有しており、同ローラー５と接触している紙２が同ローラー５の回転によりシュレッダー部３の方向に送られる。
【００１２】
紙送り部４の中間エリアには二つの光学式文字画像読取装置ＯＣＲ１，ＯＣＲ２が設けられている。光学式文字画像読取装置ＯＣＲ１は、紙２の上面に記載されている文字、画像を読み取るものであり、光学式文字画像読取装置ＯＣＲ２は、紙２の下面に記載されている文字、画像を読み取るものである。光学式文字画像読取装置ＯＣＲ１，ＯＣＲ２はマイクロコンピュータ６に接続されており、光学式文字画像読取装置ＯＣＲ１，ＯＣＲ２により読み取られた紙２の文字、画像のデータはマイクロコンピュータ６のソフトウエア処理により読取データ記録部７に記録される。
【００１３】
マイクロコンピュータ６に接続されている操作部８は、シュレッダー装置１を操作するものである。この操作部８には、シュレッダー装置１の図示していない電源回路をオンする電源投入スイッチ、紙２を紙送り部４でシュレッダー部３に送り込んで細切断させる駆動スイッチ、あるいは紙２に記載されている文字や画像を光学式文字画像読取装置ＯＣＲ１，ＯＣＲ２で読み取り、読取データ記録部７に記録させるか否かを予め選択する選択スイッチなどが配設されている。尚、上記電源投入スイッチ、駆動スイッチ、及び選択スイッチなどは図示していない。
【００１４】
マイクロコンピュータ６に接続されている読取データ表示部９は、読取データ記録部７に記録されている紙２の文字、画像を表示するものであり、プリンタ１０は、読取データ記録部７に記録されている紙２の文字、画像を印刷するものである。
【００１５】
次に、シュレッダー装置１の作用について説明する。
前述の電源投入スイッチをオンしたあと、用済み後の紙２に記載されている文字や画像を読取データ記録部７に記録するか否かを選択するために操作部８の選択スイッチをオンに操作し、紙２の情報が読取データ記録部７に記録されるように設定する。この状態で前述の駆動スイッチをオンし、紙２を、順次、紙送り部４にセットしてシュレッダー部３の方向に送る。
【００１６】
紙２が紙送り部４により、順次、シュレッダー部３の方向に送られる過程で、それぞれの紙２の両面あるいは一方の面に記載されている文字や画像が光学式文字画像読取装置ＯＣＲ１，ＯＣＲ２で読み取られる。光学式文字画像読取装置ＯＣＲ１，ＯＣＲ２で読み取られたデータはマイクロコンピュータ６のソフトウエア処理により読取データ記録部７に、順次、記録される。
【００１７】
用済み後の紙２に記載されている文字や画像が読取データ記録部７に、順次、記録されたあと、それぞれの紙２はシュレッダー部３で細切断され、細切断紙片となり、廃棄可能な状態になる。
【００１８】
上記のように、用済み後の紙２がシュレッダー部３で細切断され、細切断紙片となったあと、細切断された紙２に記載されていた文字や画像の情報が必要になった場合、操作部８を操作することによりマイクロコンピュータ６を作動させ、マイクロコンピュータ６のソフトウエア処理により読取データ記録部７に記録されているそれぞれの読取データを読み出して検索し、読取データ表示部９に検索した情報を表示させることによって、目的とする情報を見つける。そして、必要であれば、その情報をプリンタ１０でプリントアウトする。
【００１９】
以上説明したように、紙２がシュレッダー部３で細切断されたあとでも、紙２に記載されていた文字や画像を読取データ表示部９で読むことができるとともにプリンタ１０でプリントアウトすることができる。これにより、紙２がシュレッダー部３で細切断された後で、紙２に記載されていた文字や画像の情報が必要になっても、その情報を再び読むことができる。
【００２０】
尚、紙２に記載されている文字や画像を読取データ記録部７に記録する必要がないと判断された場合は、紙２を、紙送り部４にセットする前に操作部８の選択スイッチをオフする。
【００２１】
以上説明したシュレッダー装置１は一例であり、図１の構成は発明を限定するものではない。
【００２２】
【発明の効果】
本発明によれば、紙が細切断されたあとでも、紙に記載されていた情報を再び得ることができるという効果がある。
【図面の簡単な説明】
【図１】シュレッダー装置の構成を示したブロック図である。
【符号の説明】
１    シュレッダー装置
２    紙
３    シュレッダー部
４    紙送り部
５    紙送りローラー
６    マイクロコンピュータ
７    読取データ記録部
８    操作部
９    読取データ表示部
１０    プリンタ
【図１】
2004160313.tif 000003